Podtech/llm-jp-corpus-v4-ja_patent huggingface dataset:
(57)【特許請求の範囲】
【請求項１】
ボイスコイルを平面ループ状に巻いた正六角形状のボイスコイルボビンを、ハニカム形状とし、当該正六角形状のボイスコイルボビンの内側に磁石または磁性体を設けたハニカム形状として一体化した機構を有するハニカム形状ボイスコイルボビンであって、当該ハニカム形状ボイスコイルボビンを構成する各ボイスコイルボビンに、異なる部材の平面振動版を取り付けることを特徴とする平面型スピーカー。
【発明の詳細な説明】
【技術分野】
【０００１】本発明は高忠実度をはかるためのスピーカーについてである。
【背景技術】
【０００２】従来のダイナミック型のスピーカーはコーン型が多く用いられており、平面型スピーカーは数少ない。しかし、平面型スピーカーにも多くの長所があるが実用化が難しいところがある。
【先行技術文献】
【０００３】
【特許文献１】特開  ２０１２−１６９８７１
【特許文献２】特開  ２０１２−１１９８４２
【発明の概要】
【発明が解決しようとする課題】
【０００４】          ハニカム形状ボイスコイルボビンによる平面振動板を設けて
全面平面駆動させ、全面同位相で、同振幅で、ピストン領域を広くする
することを提供する。
コーン型スピーカーは凹んだ形に起因する音圧の乱れの発生で、音場における特有の音色を持ってしまう。現在実用化されている平面型スピーカーには、振動板に複数のボイスコイルを設けて駆動する方式や、振動板の前面にボイスコイルを張り付けて対応する磁場を設けて駆動する方式や、コーンの前面に平面板を設けて平面型スピーカーとしたものなどがある。いづれの方式でも全面駆動するにあって音質、性能上技術的に改良の余地がある。
【解決するための手段】
【０００５】請求項１について本発明は前記課題の解決のため以下の手段を案出した。
ボイスコイルを平面ループ状に巻いた正六角形状のボイスコイルボビンを、ハニカム形状とし、    当該正六角状のボイスコイルボビンの内側に磁石または磁性体を設けた、ハニカム形状として一体化した機構を有  するハニカム形状ボイスコイルボビンであって，当該ハニカム
形状ボイスコイルボビンを構成する各ボイスコイルボビンに、異なる部材の平面振動板を取り付け、音圧において適切な音質を合成する平面型スピーカーである。
【発明の効果】
【０００６】請求項１について説明する。ハニカム形状          ボイスコイルボビン  を構成する各ボビン単体ごとに異なる振動板部材を貼り付け、高低速伝達振動板部材と高低伝達損失振動板部材との任意の組み合わせによって、発生する音圧で調合し高速、高損失伝達振動板の最適な音質を合成する平面振動板とすることになる。これは振動板の動きに対して変形しにくい小面積ボビンの集合体としての全面平面駆動の効果である。
【図面の簡単な説明】
【０００７】
【図１】本発明の正六角形状ボイスコイルボビンの説明図である。
【図２】本発明のハニカム形状正六角形状ボイスコイルボビンの説明図である。
【図３】本発明のテープ状平面  ループボイスコイルボビンの説明図である。
【図４】本発明のハニカム構造の説明図である。
【図５】本発明の正六角形状ボイスコイルボビンと磁石の位置との説明図である。
【図６】本発明のダンパー構造の説明図である。
【図７】本発明のハニカム形状正六角形状ボイスコイルボビンの説明図である。
【図８】本発明の異なった平面振動板の説明図である。
【図９】本発明の平面振動板による周波数特性の説明図である。
【発明を実施するための形態】
【０００８】請求項１について本発明を実施するための形態について説明する。正六角形状の熱に強く強度のある紙などの部材を用いたボイスコイルボビンに平面ループ状ボイスコイルを巻く。図１と図２と図５に示すように，前記平面ループ状ボイスコイル（１）を各々の面に巻いた当該正六角形ボイスコイルボビン（３）を集合しハニカム形状とする。このハニカム形状      ボイスコイルボビン（５）は、ハニカム形状の特性を持つ軽くて強い平面型全面駆動する機構となっている。    ハニカム形状に一体化した各々の前記正六角形ボイスコイルボビン（３）の平面ループ状に巻いたコイルの上部と下部とに、ネオジムやフェライト等の磁石（４１）、（４２）などの磁性体を設け、各々に対向する磁石（４３），（４４）の極性をＮとＳ極、またはＳとＮ極と互いに異なるものとする。これによって前記ハニカム形状        ボイスコイルボビン（５）のボイスコイルの中を流れる音信号に対応して振動板を動かす。
【０００９】請求項１について図８に基づいて説明する。請求項１のハニカム形状            ボイスコイルボビン  を構成する各ボビン単体ごとに特性の異なる振動板部材を張り付け、その振動板材料としてＡｌ（５５）、チタン（５６）などの高速伝達低損失部材や、紙（５７）やポリプロピレン（５８）等の内部伝達損失特性の大きい部材などの任意の組み合わせをすることによって、発生する空中での音圧を調合し、高速伝達高損失振動板の最適な組み合わせによる両立する音質を得る平面振動板を合成するものである。これは本発明による全面駆動ハニカム形状ボイスコイルボビンを用いた平面振動板スピーカーの有する機能である。
【００１０】図９は一定振幅の駆動力を加えた剛体円形振動板を持つ直接放射スピーカーの理論上の正面前方の音圧―周波数特性を示すが、音圧は共振周波数ｆ０以上の周波数に対して無関係になり平坦となる。
【符号の説明】
【００１１】１  平面ループ状ボイスコイル
３  正六角形ボイスコイルボビン
５  ハニカム形状ボイスコイルボビン
１５  テープ状シート
１６  一ブロック
２１  ブロックａ
４１  磁石ｖ
４２  磁石ｘ
４５  正六角形ボビンのエッジ部分
４７  ダンパー
５２  空洞
５５  ＡＬ
５７  紙
【図１】
0006684479.tif 000002
【図２】
0006684479.tif 000003
【図３】
0006684479.tif 000004
【図４】
0006684479.tif 000005
【図５】
0006684479.tif 000006
【図６】
0006684479.tif 000007
【図７】
0006684479.tif 000008
【図８】
0006684479.tif 000009
【図９】
0006684479.tif 000010
(57)【特許請求の範囲】
【請求項１】
山や丘の裾野部の土砂を削り取り、該土砂を山や丘側に盛り土をすることで、高台と低地及び直角な壁を形成し、該壁に沿ってビルを建て、高台側に埋められた支柱と、該ビル周辺の地中に埋められたアンカーボルトとを、該ビルに隣設された鉄筋コンクリート支柱・鋼アングル・滑車で構成される構造物を介してワイヤーでつなぎ、地震の際には、該ビルに接近した該ワイヤーが該ビルの傾きを防止する地震に強いビルであって、高台に貯水池を設置し、火災時に該ビルに水を大量に流すことができる震災に強いビル。
【発明の詳細な説明】
【技術分野】
【０００１】
本発明は、山の裾野部の土砂を削り取り、その土砂を山側に盛り土をすることで、高台と低地及び直角な壁を形成し、該壁に沿ってビルを建て、ワイヤーで山側に固定する、震災に強いビルの設置技術に関するものである。
【背景技術】
【０００２】
ビルが100％倒壊しないようにするためには、地中に深く埋めてしまえばいいが、光が届かなくなるため一般的には地階よりも地上階を高く設定するため、想定外の大地震では倒壊の恐れが付きまとい、十分な耐震構造を持たせることで99.9％は安心かもしれないが100％の安全は得られない。
【先行技術文献】
【特許文献】
【０００３】
【特許文献１】特表2016-505733号公報
【発明の概要】
【発明が解決しようとする課題】
【０００４】
本来、想定外の大地震が来ても、ほぼ100％の安全構造のビル及びビル群が求められており、地震と地震に付帯して発生する火災に対し、絶対的に強い建物で安心して暮らしたいという根強い期待感が誰にもある。
【課題を解決するための手段】
【０００５】
山や丘などの裾野部の土砂を削り取り、その土砂を山側に盛り土をすることで、高台と低地及び直角な壁を形成し、該壁に沿ってビルを建て、ワイヤーを使い、該ビルを高台に直接または間接的に固定することで、倒れないようにし、また高台に水源を用意し、火災時にすぐに消火に使えるようにする。
【発明の効果】
【０００６】
本発明により、あらゆる地震と火災におけるほぼ100％の安全が確保できる他、高台の貯水池を水力発電に利用できるため、自然環境と接する形でハイテクなスマートエネルギー都市が実現し、地球温暖化防止に貢献しているという実感を味わい、森林浴などの自然な癒しの環境に瞬時に浸ることができ、仕事環境・住環境が好転する。
従来は、東京の大地震に備えて、地方に首都を移転しようと考えても、移転先でも地震が起これば、結局は大きくは変わらないといことになってしまい、首都の移転が進まなかったが、本発明により移転が可能になる。
【図面の簡単な説明】
【０００７】
【図１】本発明の概要を示す。
【発明を実施するための形態】
【０００８】
山や丘などの裾野部の土砂を削り取り、その土砂を山や丘側に盛り土をすることで、高台と低地及び直角な壁を形成し、該壁に沿ってビルを建て、高台側の地盤のしっかりしたところに支柱を埋めて、該支柱にワイヤーの一端を固定し、該ワイヤーで直接ビルを固定するか、または鉄筋コンクリートの塔等を立て、該塔にワイヤーを通し、間接的に該ビルの傾きを防止し、該ビルが倒れないようにする。また高台に水源を用意し、火災時にすぐに消火に使えるようにする。
【０００９】
図1は、山や丘などの裾野部の土砂を削り取り、その土砂を山側に盛り土をすることで、高台と低地及び直角な壁を形成し、該壁に沿って木造高層ビルを建てるという事例で、上位階のみを表示している。
鉄筋コンクリート支柱21の上部にＨ形鋼アングル2を設定し、該Ｈ形鋼アングル2の上部の4か所に滑車3を設定し、太いワイヤー1を通し、該ワイヤー1の一端は、低地のアンカーボルトに連結し、もう一端は台地の岩盤の固い場所に支柱を埋め込み、該支柱に連結する。これによって、鉄筋コンクリート支柱21が土砂20に押されても傾くことはない。また、木造高層ビルの随所にワイヤー突き当て板4を、必要に応じて緩衝体を介して設定することで、大地震の際にも、木造高層ビルが、該ワイヤー1によって守られ、大きな横揺れが発生しない為、上側の柱23と下側の柱25を緩衝体24を介し、インローの設定をするだけで、十分な耐震強度が達成される。
エレベータ―枠5は、重量のあるエレベーターを支える必要があり、H形鋼アングル2と3か所のエレベーター固定部9で連結されている。ちなみに、エレベータ―には3方向のドアが設定されており、屋上から高台に抜ける外出用EVドア6、高齢者住宅通路用EVドア7、一般EVドア8が設定されている。
高台には、貯水池17を設定し、火災発生時には、超大型ポンプ吸い上げ管14を介して、超大型ポンプ10から大量の水が超大型水管13によってビルの最上階内に運ばれて、隙間からどんどん水が階下に流れ、各フロアーが床上浸水状態になり、強力に消火することができる。普段は、小型ポンプ11が稼働し、小型ポンプ吸い上げ管15を介し少量の水をくみ上げ、小型ポンプ用水管12から、各フロアーの癒し水路22に流される。
また、貯水池17に、水力発電用取水口18が設定されており、山からの小川や清水が貯水池17に溜まり、オーバーフロー防止用出水口19からの出水が確認されたら、該水力発電取水口18の弁を開けて、大量に水を流し発電を行う。尚、貯水池17の蓋として、メンテしやすいよう金網＆人工芝16を設定する。
【産業上の利用可能性】
【００１０】
本発明により、あらゆる地震と火災におけるほぼ100％の安全が確保ができる他、高台の貯水池を水力発電に利用できるため、自然環境と接する形でハイテクなスマートエネルギー都市が実現し、地球温暖化防止に貢献しているという実感を味わい、森林浴などの自然な癒しの環境に瞬時に浸ることができ、仕事環境・住環境が好転する。
従来は、東京の大地震に備えて、地方に首都を移転しようと考えても、移転先でも地震が起これば、結局は大きくは変わらないといことになってしまい、首都の移転が進まなかったが、本発明により移転が可能になる。
【符号の説明】
【００１１】
１  ワイヤー（2ｘ2）
２  Ｈ形鋼アングル
３  滑車（2ｘ2）
４  ワイヤー突き当て板
５  エレベーター枠
６  外出用ＥＶドア
７  高齢者住宅通路用ＥＶドア
８  一般ＥＶドア
９  エレベーター固定部
10  超大型ポンプ
11  小型ポンプ
12  小型ポンプ用水管
13  超大型水管
14  超大型ポンプ吸い上げ管
15  小型ポンプ吸い上げ管
16  金網＆人工芝
17  貯水池
18  水力発電用取水口
19  オーバーフロー防止用出水口
20  土砂
21  鉄筋コンクリート支柱
22  癒し水路
23  上側柱
24  緩衝体
25  下側柱
【要約】
【課題】
本来、想定外の大地震が来ても、ほぼ100％の安全構造のビル及びビル群が求められており、地震と地震に付帯して発生する火災に対し、絶対的な強い建物で安心して暮らしたいという根強い期待感がある。
【解決手段】
山や丘などの裾野部の土砂を削り取り、その土砂を山や丘側に盛り土をすることで、高台と低地及び直角な壁を形成し、該壁に沿ってビルを建て、ワイヤーで高台側に直接または間接的に固定することで、倒れないようにし、また高台に水源を用意し、火災時にすぐに消火に使えるようにする。
【選択図】図１
0006684510.tif 000002
【図１】
0006684510.tif 000003
(57)【特許請求の範囲】
【請求項１】
互いに対向する方向に向かい合わせた２つのバネ付きクリップにおいて、一方の挟み板の下部の挟み部と、残る一方の挟み板の上部の挟み部の先端を線状に接合させ、その接合部を中心に左右対称になるようにした、胸はだけ防止クリップ。
【発明の詳細な説明】
【技術分野】
【０００１】  この発明は、浴衣又は寝間着（浴衣形）又は着物の襟を上下に挟んで胸がはだけにくくした胸はだけ防止クリップに関するものである。
【背景技術】
【０００２】  従来、胸のはだけ防止には、安全ピン又は洗濯バサミ等を使っていた。
【発明の概要】
【発明が解決しようとする課題】
【０００３】  これには、次のような欠点があった。安全ピンは、浴衣等に穴があいたり、外れた場合にピンが胸に刺さったりして危険である。洗濯バサミは、両襟を挟む方式であるため、洗濯バサミのつまみ部が前に突き出てしまうため、見苦しくお洒落性にも欠ける点がある。しかしながら、これらの欠点は、病院等の入院生活を余儀なくされた寝間着の女性には耐え難いものがあり、何とかお洒落なものの開発が切望されていた。
本発明は以上のような状況下において欠点をなくすためになされたものである。
【課題を解決するための手段】
【０００４】  バネ付クリップを点対称になるように向け、一方のクリップの下部側となる挟み部と他方のクリップの上部側となる挟み部を一体構造になるように取付け、双方のつまみ部を指でつまんで力を入れるとクリップの挟み部が開き、各々のクリップが寝間着（浴衣形）の左右の襟をそれぞれ挟む構造となる。以上のように構成された胸はだけ防止クリップである。
【発明の効果】
【０００５】  襟を挟む方式なので、浴衣等に安全ピンなどのように穴が開く事がない。また身体にピンが刺さる事もないので安全である。一緒に両襟を挟むような方式ではなく、片襟ずつ挟む方式なのでクリップが横向き構造で、従来のように縦方向でない固定方式のため、変に前に突き出ることがない。
また装飾用の飾りで、クリップの前面は覆われる構造であり、クリップが正面から見えることもない。よって、胸元が固定されているためはだけにくく、装飾飾りもあってお洒落である。
【図面の簡単な説明】
【０００６】
【図１】  本発明の斜視図である。
【図２】  本発明の斜視図に装飾飾りがついた図である。
【図３】  本発明の斜視図のつまみ部・挟み部を表した図である。
【図４】  本発明の寝間着（浴衣形）の使用状態を表した図である。
【図５】  本発明の浴衣の使用状態を表した図である。
【発明を実施するための形態】
【０００７】  以下、本発明を実施するための形態について説明する。
（イ）２枚の左側挟み板上部（１）と左側挟み板下部（２）の間に支軸（７）を介してバ    ネ（３）を設け、他の２枚の右側挟み板上部（４）と右側挟み板下部（５）の間にも    同様に支軸（７）を介してバネ（３）を設ける。
（ロ）左側下部挟み部（９）と右側上部挟み部（１０）が向かい合うように点対称に取付    けてある。
（ハ）左側挟み板上部（１）の上側には、装飾飾り（６）を設ける。
（二）左側上部下部つまみ部（１２）および右側上部下部つまみ部（１３）に指で力を加    えることにより、左側上部挟み部（８）と左側下部挟み部（９）および右側上部挟み    部（１０）と右側下部挟み部（１１）が開き襟を挟むことができる。
本発明は以上のような構造である。
したがって、本発明を使用するときは、浴衣の右襟（１４）を右側上部下部つまみ部（１３）で挟み、次に左襟（１５）を重ねて左側上部下部つまみ部（１２）で挟むように使用する。このような使用法であり、浴衣にクリップを取り付けた際は、正面からは装飾飾り（６）のみが見えるためアクセントになりお洒落な様相になる。
他の実施例としては、  左側挟み板下部（２）と右側挟み板上部（４）が、一体として繋がった一枚の部品として形成したものであってもよい。また、図面ではコイルスプリングのバネ（３）であるが板バネやその他等の反力を持つ弾性体であってもよい。
挟み板本体は例えば金属、ポリスチレン、ポリプロピレン、塩化ビニール樹脂、ポリエチレン、ＡＳ樹脂、ＡＢＳ樹脂、  等を用いる。また、左側挟み板上部（１）の上の装飾の飾り（６）は装身具表面部が布、樹脂粘土、紙、ビーズ、スパンコール、金属  等適宜用いる。挟み板の材質および装飾飾りの材質はこれらの明記したものに限定されるわけでなく任意のものでよい。
病院の寝間着は、大体が浴衣形であるが、毎日変えるわけではないため、胸元の襟がよれよれになってしまうことが多い。その解消法として図４のように、胸はだけ防止クリップを使用することができる。
また、夏の花火の季節になると、浴衣を着て外に出る事が多い。長い間着ていると胸元の襟が崩れてくる。図５はそれを解消するために胸はだけ防止クリップを使用した図である。
【符号の説明】
【０００８】  １  左側挟み板上部
２  左側挟み板下部
３  バネ
４  右側挟み板上部
５  右側挟み板下部
６  装飾飾り
７  支軸
８  左側上部挟み部
９  左側下部挟み部
１０  右側上部挟み部
１１  右側下部挟み部
１２  左側上部下部つまみ部
１３  右側上部下部つまみ部
１４  右襟
１５  左襟
【図１】
0006744775.tif 000002
【図２】
0006744775.tif 000003
【図３】
0006744775.tif 000004
【図４】
0006744775.tif 000005
【図５】
0006744775.tif 000006
(57)【特許請求の範囲】
【請求項１】
頭部管に唄口を有するエアリード楽器において、唄口内壁および頭部管内壁に、頭部管の長手方向に直交するように、凹凸あるいは整流フィンを連続して設けたことを特徴とする頭部管に唄口を有するエアリード楽器。
【発明の詳細な説明】
【技術分野】
【０００１】
本発明は、容易に音が出せるエアリード楽器に関するものである。
【背景技術】
【０００２】
エアリード楽器の例として、フルートおよびリコーダがある。フルートの演奏者は、リッププレートに下唇を押し当てて特定のアンブシュア（唇の形）を作って、唄口の内壁に呼気を吹き付けて演奏する。フルートの演奏者は、アンブシュア、呼気、トーンホール（音孔）の開閉などを調節することで広い音域に渡って豊かな音を出すことができる。
【０００３】
しかし、アンブシュアを調節することは、演奏者の能力に大きく依存する。このため、初心者などの演奏能力の乏しい人がフルートの音を出すことは困難であった。
【０００４】
これに対して、リコーダにはウインドウェイ（呼気の流れる道）が設けられている。そのため、演奏者がウインドウェイの吹き口から呼気を吹き込むと、他方の吐出口から呼気が噴出してエッジに導かれ、容易に音を出すことができる。
【先行技術文献】
【特許文献】
【０００５】
【特許文献１】特開平３−１８４０８９号公報
【特許文献２】特開平４−１１２８７号公報
【特許文献３】特開平５−３５２６１号公報
【特許文献４】特開平５−１９７３７０号公報
【特許文献５】特開平７−１２９１５２号公報
【特許文献６】特開２０１７−６８１０９号公報
【特許文献７】特開２０１７−６８１１０号公報
【非特許文献】
【０００６】
【非特許文献１】安藤由典著  「楽器の音響学」  音楽之友社  １９７１年
【発明の概要】
【発明が解決しようとする課題】
【０００７】
解決しようとする課題は、初心者のような演奏能力の乏しい人はエアリード楽器の音を出すことが困難な点である。
【課題を解決するための手段】
【０００８】
本発明は、エアリード楽器の音が容易に出るようにするため、頭部管の長手方向に直交するように、唄口と頭部管の内壁に凹凸あるいは整流フィンを連続して設けることを最も主要な特徴とする。
【発明の効果】
【０００９】
本発明のエアリード楽器は、凹凸あるいは整流フィンによって呼気の流れが導かれるため、容易に音が出る。また、このエアリード楽器は音色やキー操作が従来の楽器と変わらないという利点がある。
【図面の簡単な説明】
【００１０】
【図１】図１は本エアリード楽器の実施方法を示した頭部管の断面を含む概観図である。
【図２】図２は本エアリード楽器の実施方法を示した頭部管の概観図である。
【発明を実施するための形態】
【００１１】
エアリード楽器の音が容易に出せるという目的を、唄口内壁および頭部管内壁に、頭部管の長手方向に直交するように、凹凸あるいは整流フィンを連続して設けることで実現した。
【実施例】
【００１２】
図１は、本発明エアリード楽器の頭部管を管軸を含む垂直な面で切断したときの断面を含む概観図である。図２は、頭部管の概観図である。
【００１３】
本発明エアリード楽器の実施形態は、肉厚の円筒管の唄口内壁３および頭部管内壁４に、頭部管１の長手方向に直交するように、凹凸あるいは整流フィンを連続して設ける構造である。図１は、唄口２の長径と同じ幅に渡って半楕円形の溝を複数設けたときの状態を示している。
従来のエアリード楽器の頭部管は、薄肉円筒管にライザーを間に挟んでリッププレートがロウ付けされている。本発明の頭部管１は、従来の頭部管の薄肉円筒管、ライザー、リッププレートの３部品を合わせた厚さと等しい肉厚の円筒管であり、その外表面は従来のリッププレート表面と同じ高さを有し、リッププレートと同等の機能を果たす。この点以外は従来の頭部管と同じ構造をしている。
従来のエアリード楽器の頭部管に凹凸あるいは整流フィンを設けても、同じ効果を発揮する。また、凹凸あるいは整流フィンは、頭部管内壁の凹凸４だけを設けて、唄口内壁の凹凸３は設けないなどのように、部分的に設けても効果がある。
【００１４】
凹凸あるいは整流フィンの役割は、ウインドウェイと同じである。エアリード楽器を演奏するとき、奏者は唄口２に下唇を押し当てて呼気を吹き込む。唄口２に流入した呼気は、凹凸あるいは整流フィンに導かれて頭部管１内を周回して、唄口２から流出する。唄口２の上部開口端は半分が下唇で塞がれていて、呼気は開いた部分から流出するが、下唇の丸み部分に沿って流れる。このとき、唄口２に流入する呼気と衝突・合体して、唄口２から出る。唄口２に流入した呼気に対して、唄口２から出る割合が高いほど明瞭な音となる。
初心者などの演奏能力の乏しい人は、唄口２に呼気を吹き込むときの距離や角度が不適切で、呼気が唄口２内で散逸して、音が出にくい。凹凸あるいは整流フィンがウインドウェイの作用を果たして、多少不適切な吹き込みでも呼気が導かれて、唄口２から流れ出て音となる。
【００１５】
唄口２に流入する呼気は頭部管１内の空気圧を高め、唄口２から流出する呼気は空気圧を低くする。管内の空気圧の加圧−減圧が繰り返されて音となる。このようなエアリード機能が発揮されのは、唄口２から流出する呼気が流入する呼気と衝突・合体して、唄口２から出る効率が高いときである。
【産業上の利用可能性】
【００１６】
唄口内壁と頭部管内壁に呼気の流れを導く凹凸あるいは整流フィンを設けたエアリード楽器は、音が出し易いので、初心者の利用が増加すると見込まれる。また、エアリード楽器を中断した人も再び演奏を試みることが期待できる。
【符号の説明】
【００１７】
１  頭部管
２  唄口
３  唄口内壁の凹凸
４  頭部管内壁の凹凸
【要約】
【課題】エアリード楽器で、初心者などの演奏能力の乏しい人でも容易に音が出せることを可能とする。
【解決手段】本発明のエアリード楽器は、頭部管１の長手方向に直交するように、唄口２の長径の幅に渡って複数の凹凸あるいは整流フィンを、唄口２の内壁３および頭部管１の内壁４に連続して設ける構造である。凹凸あるいは整流フィンはウインドウェイの作用を果たして、唄口２に流入した呼気は頭部管１内を周回した後、唄口２から流出する割合が高まり、音が出易くなる。
【選択図】図１【図１】
0006744510.tif 000002
【図２】
0006744510.tif 000003
(57)【特許請求の範囲】
【請求項１】
略円柱形状の頭部体（１）と、前記頭部体（１）の打撃方向と垂直に伸びる柄（１０）と、前記頭部体（１）の打撃面（３ｂ）に設けられた斫りノミ刃からなる斫りノミ付きハンマーであり、前記柄（１０）よりも下方にある打撃対象に対して、前記斫りノミ付きハンマーを振り下ろした際に、前記打撃面（３ｂ）と前記打撃対象の面とが略平行となるように、前記柄（１０）の伸びる方向に対して前記打撃面（３ｂ）を傾斜させた斫りノミ付きハンマー。
【請求項２】
略円柱形状の頭部体（１）と、前記頭部体（１）の打撃方向と垂直に延びる柄（１０）と、前記頭部体（１）の打撃面（３ｂ）に設けられた斫りノミ刃とからなる斫りノミ付きハンマーであり、前記斫りノミ刃は、前記柄（１０）から遠い部分（４，５，６）が前記斫りノミ付きハンマーを振り下ろした際の円弧軌跡に沿った形状であり、刃面（６，７，８）が、前記柄（１０）から遠い部分（４，５，６）に対して内側に湾曲した形状であり、刃先（６、１１と６、１２）が、前記打撃面（３ｂ）に対して傾斜を付けたものである斫りノミ付きハンマー。
【発明の詳細な説明】
【技術分野】
【０００１】  従来のハンマーは打撃面が両面あるが、片方の打撃面しか使用されていないため、頭部体１の打撃面３ｂに斫りノミを一体化し、両面が使えるようにした。
【背景技術】
【０００２】  電源の無い現場での軽微な斫り作業が出来る。
【先行技術文献】
【特許文献】
【０００３】
【特許文献１】特開２０１９−１００１３２
【０００４】ハンマーの頭部体１の打撃面３ｂに角度をつけ、斫りノミと一体化する事により、斫り作業ができる。
【課題を解決するための手段】
【０００５】打撃面３ｂに角度を付ける。円弧軌跡に沿った斫りノミの刃先６，５，４と６、８，７と６、１１と６、１２頭部体１の打撃面３ｂと一体化する。
【発明の効果】
【０００６】頭部体１打撃面３ｂを下に振りおろした際に、斫りノミを取り付ける事により、斫りノミの刃先６がコンクリート土間等に垂直に当たる事により、斫りがより効果的になる。
【図面の簡単な説明】
【０００７】
【図１】略円頭形の頭部体の３ｂ面に斫りノミを一体化した正面図。
【図２】頭部体１を円弧軌跡に振り下ろした使用状態図。
【図３】頭部体１の打撃面２ａを使用した杭の打ち込みの状態図。
【発明を実施するための形態】
【０００８】本発明の実施の形態を図面に基づいて説明する。図１〜図２において略円頭形打撃面３ｂに角度をつける事により、斫りノミの刃６，５，４と６，８，７と６，１２と６，１１を頭部体１の３ｂ面と一体化したものである。
【実施例１】
【０００９】ハンマーを円弧軌跡に振り下ろした際、打撃面３ｂに角度を付ける事により円弧軌跡に沿った斫りノミの刃６が土間コンクリート等に垂直に当たり、従来のハンマーより斫り効果が高い。
【実施例２】
【００１０】頭部体１の打撃面２ａは、従来のハンマーとして杭打ち作業等にも使用できる。
【産業上の利用可能性】
【００１１】従来の斫り機は、軽微な斫り作業でも電力及びエアーコンプレッサー等の動力源を必要とするが、斫りノミ付きハンマーでの作業なら、電源等を必要とせずとも軽微な斫り作業ができる。
打撃面２ａは従来のハンマーとして使用でき、経済的である。
【符号の説明】
【００１２】  １    頭部体の形状が八角形、六角柱、円頭形
２ａ  打撃面
３ｂ  打撃面
１０  柄
円弧軌跡に沿った斫りノミの刃先６，５，４と６，８，７と６，１１と６，１２。
【要約】      （修正有）【課題】効果的な斫り作業が出来る工具を提供する。【解決手段】ハンマーの片方の打撃面３ｂに角度をつけ、斫りノミと頭部体１とを一体化する。斫りノミ４，５，６，７，８，９は振り下ろした際、円弧軌跡に沿ったものであり、斫り効果が高い。【選択図】図１【図１】
0006715422.tif 000002
【図２】
0006715422.tif 000003
【図３】
0006715422.tif 000004
(57)【特許請求の範囲】
【請求項１】
クロロプレンゴム及び溶剤を含むクロロプレンゴム系接着剤組成物であって、溶剤として、トルエン、ヘキサン、シクロヘキサンおよびメチルシクロヘキサンを含まず、溶剤がブチルアセテート、又は、ブチルアセテート及びメチルエチルケトンであり、ブチルアセテート含有量が溶剤全体の５０重量％以上であることを特徴とするクロロプレンゴム系接着剤組成物。
【発明の詳細な説明】
【技術分野】
【０００１】
本発明は、クロロプレンゴム系接着剤組成物に関するものであり、より詳しくはトルエンを用いなくても接着強度と安定性が良好なクロロプレンゴム系接着剤組成物に関するものである。
【背景技術】
【０００２】
クロロプレンゴム等をベースとした溶剤系接着剤は、その良好な作業性や接着物性から各種用途に用いられてきた。そのため、数多くのクロロプレン系接着剤が開発されている。これらのクロロプレンゴム系接着剤は、原料ゴムおよびその他の配合剤をトルエン、シクロヘキサン、アセトンなどの有機溶剤に溶解させているものがほとんどである（例えば、特許文献１〜３参照。）。
【０００３】
一方で、シックハウス症候群への対応として、ホルマリンや、トルエン、キシレンの使用ができなくなり、トルエン不含のクロロプレンゴム系接着剤が市場では要望されている。
【０００４】
トルエン不含のクロロプレンゴム系接着剤としては、例えば特許文献４、５など、代替溶剤をもちいるものが挙げられるが、クロロプレンゴムを単独では溶解しない溶剤が多く、トルエンを用いているものよりも接着剤物性や安定性が劣るという問題があった。
【先行技術文献】
【特許文献】
【０００５】
【特許文献１】特開平０６−３０６３４１号公報
【特許文献２】特開２００４−２１０９９５号公報
【特許文献３】特開２００５−１３９２７９号公報
【特許文献４】特開２００３−２２６８５２号公報
【特許文献５】特開２００７−２９１１８８号公報
【発明の概要】
【発明が解決しようとする課題】
【０００６】
本発明はこの問題点に鑑みてなされたものであり、接着物性および安定性に優れたクロロプレンゴム系接着剤組成物を提供するものである
【課題を解決するための手段】
【０００７】
本発明者は、このような背景の下、上記課題を解決するため鋭意検討した結果、ブチルアセテートを含むことで、トルエンを用いなくてもクロロプレン系接着剤の接着物性および安定性を向上することを知見し、本発明を完成させるに至った。
【０００８】
すなわち本発明は、クロロプレンゴム及び溶剤を含むクロロプレンゴム系接着剤組成物であって、溶剤がブチルアセテートであり、溶剤として、トルエン、ヘキサン、シクロヘキサンおよびメチルシクロヘキサンを含まず、ブチルアセテート含有量が溶剤全体の５０重量％以上であることを特徴とするクロロプレンゴム系接着剤組成物である。
【発明の効果】
【０００９】
本発明のクロロプレンゴム系接着剤は、上記の通りすることにより、トルエンを用いなくても、接着物性と安定性に優れる接着剤を提供することができる。
【発明を実施するための形態】
【００１０】
以下、本発明について、詳細に説明する。
【００１１】
本発明のクロロプレンゴムは、２−クロロ−１，３−ブタジエンであるクロロプレンの単量体を単独で重合して得られたもの、または、クロロプレンと共重合可能な１種類以上の単量体を用いて重合して得られたものであるである。
【００１２】
クロロプレンと共重合可能な単量体としては、例えば、２，３−ジクロロ−１，３−ブタジエン、アクリロニトリル、メチルメタクリレート、ヒドロキシエチルメタクリレート、メタクリル酸等があげられる。
【００１３】
溶剤としては、ブチルアセテート単独でも良いが、ブチルアセテート以外にもブチルアセテート以外のエステル系溶剤を使用する事が可能である。ブチルアセテート以外のエステル系溶剤としては、アセトン、エチルアセテート、ＭＥＫ（メチルエチルケトン）等が挙げられる。溶剤としては、クロロプレンゴム系接着剤組成物の低温安定性に優れるため、シクロヘキサンを含まない方が好ましい。また、クロロプレンゴム系接着剤組成物の接着強さが低下しないため、ヘキサンまたはメチルシクロヘキサンを含まない方が好ましい。
【００１４】
ブチルアセテート含有量は溶剤全体の５０重量％以上であることが必要であるが、５０重量％〜８０重量％がより好ましい。ブチルアセテート含有量が５０重量％未満であると、クロロプレンゴム系接着剤組成物の接着性が劣る。
【００１５】
本発明のクロロプレンゴム系接着剤組成物は、その他に、一般的に用いられる金属酸化物や粘着付与樹脂、老化防止剤等を含ませることができる。金属酸化物としては酸化マグネシウムや酸化亜鉛が一般的には多く用いられ、粘着付与樹脂としては、アルキルフェノール樹脂や、テルペンフェノール樹脂などが用いられることが多い。
【００１６】
本発明のクロロプレンゴム系接着剤組成物は、例えば、クロロプレンゴムを金属酸化物や粘着付与樹脂、老化防止剤などと共に、上記溶剤に混合し、撹拌して溶解させることで作成できる。
【実施例】
【００１７】
以下、本発明を実施例にて具体的に説明する。
クロロプレンゴム系接着剤組成物は下記に示す手法で作製・評価を行った。
【００１８】
＜接着剤の作製＞
接着剤は、表１に記載の配合剤および溶剤を所定量瓶に投入し、密栓したうえでボールミル架台にて室温下にて４８時間回転・混合させることで作製した。
【００１９】
＜低温安定性＞
作製した接着剤を、−１０℃にて２週間保管し、状態を観察した。
【００２０】
○：変化なし      ×：高粘度化・固化
＜接着試験片作製＞
９号帆布２枚（約１５０ｍｍ×６０ｍｍ）それぞれの片面に、作製した接着剤を刷毛で約２３０ｇ／ｍ２塗布し、８０℃にて５分間乾燥した。室温で３０分放冷した後、再度接着剤を刷毛にて約９０ｇ／ｍ２塗布し、８０℃にて５分乾燥直後、もしくは、その後６０分放冷した後にハンドローラーを用いて圧着した。１５０ｍｍ×２５ｍｍのサイズに切り出したものを測定用の試験片とした。
【００２１】
＜接着強さ＞
圧着２分後にテンシロン型引っ張り試験機を用いて１００ｍｍ／ｍｉｎの剥離速度で１８０°方向の引っ張りにて行った。
【００２２】
＜高温接着強さ＞
接着３日後に、試験片を８０℃雰囲気下にて５分間状態調整を実施し、テンシロン型引っ張り試験機を用いて８０℃の雰囲気下にて１００ｍｍ／ｍｉｎの剥離速度で１８０°方向の引っ張りにて行った。
【００２３】
実施例１〜３、比較例１〜７
実施例および比較例を表１に示す。
【００２４】
実施例では良好な安定性と接着強さが得られたことが分かる。
【００２５】
【表１】
0006665501.tif 000002
【産業上の利用可能性】
【００２６】
本発明のクロロプレンゴム系接着剤組成物は、家具、木工、建材など、広範囲の材料の接着分野で使用される。